(57)【特許請求の範囲】
【請求項１】
ケース２内に電気回路を収納した侵入者検知用の防犯機器１であって、
前記ケース２が、取付面に取り付けられるシャーシ２１と、このシャーシ２１の前方へ向いた開口を覆うカバー２２とからなり、
前記カバー２２の一側部に、シャーシ２１の被係合部１２に係合して、前記一側部がシャーシ２１の開口からその開口面２０と直交する方向に移動するのを阻止する係合爪１３と、前記シャーシ２１の一側部の内面に係合して前記カバー２２がシャーシ２１の開口面２０と平行な方向に移動するのを阻止する口開き防止爪１４が設けられ、
前記係合爪１３は開口面２０と平行に前記カバー２２の内方向に向かって突出し、
前記口開き防止爪１４は前記係合爪１３の突出した先端部に形成され、前記シャーシ２１の後面に向かって突出しており、
前記シャーシ２１の被係合部１２は、前記係合爪１３が開口面２０と平行な前記内方向に進入する凹所１０と、前記凹所１０の内端から連続的に前記シャーシ２１の内面に沿って前記開口面２０と直交する方向に沿って延び、シャーシ２１の後面に向かって開口する溝１１とを有し、
前記口開き防止爪１４は、前記シャーシ２１に形成した前記凹所１０から前記溝１１へ差し込まれて、前記溝１１と係合し、
前記カバー２２の他側部に、シャーシ２１の止め部８に係脱自在に係止される止め具９が装着されている防犯機器。
【発明の詳細な説明】
【０００１】
【発明の属する技術分野】
本発明は、こじ開け防止構造を備えた侵入者検知用の防犯機器に関するものである。
【０００２】
【従来の技術および発明が解決しようとする課題】
図５は、従来の防犯機器の一例である防犯センサを示す縦断面図である。この防犯センサ１は、天井や壁などの取付面に取り付けるシャーシ２１と、その開口面２０を覆うカバー２２からなるケース２を備えている。これらシャーシ２１とカバー２２は、それぞれ樹脂で形成される。そして、前記シャーシ２１内にセンサ部の電気回路を形成した基板３がリブ３０を介して取り付けられ、この基板３にＰＩＲ（受動型赤外線）受光素子４、ＭＷ（マイクロ波）送受信回路５、タンパースイッチ６等が設けられている。また、前記カバー２２のＰＩＲ受光素子４との対向部位には、シャーシ２１側に向かって凹入する凹部２３が形成され、その底壁にＰＩＲ受光素子４の受光部を外部に露出する窓２４が形成されている。さらに、窓２４の前方側Ｆには、ＰＩＲ受光素子４の検知エリアを設定するフレネルレンズのようなレンズ７が嵌め込まれている。図中、４０は前記ＰＩＲ受光素子４を基板３に固定するための取付け台である。
【０００３】
ところで防犯機器は、妨害行為を受け易い。例えば防犯機器が非警戒中である日中などに侵入し、カバー２２をこじ開けて内部のセンサ部が人体を検知しないように操作した上で、再び夜間などの警戒中に侵入して犯罪を行う場合がある。そのため、防犯機器の多くは、カバー２２をシャーシ２１から取り外したり、こじ開けたりすると、前記タンパースイッチ６の作動により妨害検知信号（タンパー信号）が出力されて警報が発せられるように構成されている。このとき、通常想定されるカバーの開閉動作にてタンパースイッチ６が敏感に動作するよう、カバーの開閉する支点となる係合爪５１から離れた位置にタンパースイッチ６を設けることが一般的である。ところが、侵入者はカバー２２の支点となる一端部側（図５の上部側）を僅かな隙間だけこじ開け、その隙間より針金、薄板等を差し込んで、警報が発せられないように操作する。
【０００４】
このため上記防犯機器では、こじ開け防止対策として、カバー２２の一端部で開口端部側に前記係合爪５１を他端部（下部）へ向かって突設し、一方シャーシ２１側には係合爪５１が係合する他端方向（下方）に向かって凹んだ凹所５２を形成している。また、前記カバー２２の他端部には、シャーシ２１に設けた止め部８の挿通孔８５に係脱自在に係止されるねじ体のような止め具９を、板状ナット８４へのねじ込みによって装着する。そして、前記係合爪５１を凹所５２に係合させて、シャーシ２１とカバー２２の他端部側を止め具９により係止する。このようにすると、凹所５２に対する係合爪５１の係合により、カバー２２の一端部側がシャーシ２１の開口面２０と直交する前方側Ｆにこじ開けられるのが阻止される。
【０００５】
しかし以上の構造では、こじ開け防止対策が十分とは言えない。つまり、カバー２２の他端部の固定点である挿通孔８５から一端部側の係合部である係合爪５１までの支点距離Ｌ１が長いので、シャーシ２１とカバー２２の一端部側の係合部にドライバなどを差し込んでこじると、カバー２２が比較的容易に、二点鎖線で示すように変形し、その係合爪５１が凹所５２から外方に抜き出されて係合が解除され、シャーシ２１とカバー２２の間に隙間Ｇが生じるので、この隙間Ｇから針金などを差し込んでセンサ部にいたずらされる可能性がある。このようなことは、特にベルギー国のＡＮＰＩ規格などでは認められない。また、カバー２２は、樹脂製のため外部から大きな衝撃を受けると変形し易い。このため、カバー２２に係合爪５１が凹所５２から抜け出る方向に大きな衝撃がかかると、カバー２２がシャーシ２１から外れる可能性もある。このことについても、ドイツ国のＶｄＳ規格やフランス国のＮｆａ２Ｐ規格などでは認められていない。
【０００６】
また、従来では、図６の構造のものも知られている。この構造は、シャーシ２１の中央底部から前方Ｆに向かってボス５３を立設し、一方カバー２２の中央前面には前記ボス５３側に向かう凹部５４を形成して、この凹部５４の底壁に設ける挿通孔を通してビス５５をボス５３にねじ込むことにより、カバー２２をシャーシ２１に固定する。
【０００７】
図６の構造によれば、シャーシ２１に対するカバー２２の固定点が中央に位置し、カバー２２の開口周縁部２２ａまでの支点距離Ｌ２が短いので、この開口周縁部２２ａが変形し難くなるので、こじ開けが困難となる。しかし、製品の正面に凹部５４やビス５５が位置するため、製品の外観が悪くなる。このとき、外観を良好とするために、凹部５４の開口に蓋５８を設けるが、このようにすると、施工性が悪くなって製品コストが高くなる。また前記蓋５８は、小さいので紛失し易い。しかも、シャーシ２１の中央にボス５３を設けるから、前記基板３にボス５３を通過させるための孔５６を形成する必要があるので、基板３に形成する電気回路の設計に制約を受ける。
【０００８】
そこで本発明は、上記問題点を解決して、簡単かつ低コストでカバーのこじ開けを確実に防止し、しかも衝撃によりカバーが外れたりするのを防止して各国の規格をクリアできる防犯機器を提供することを目的とする。
【０００９】
【課題を解決するための手段】
上記目的を達成するため、本発明の防犯機器は、ケースが、取付面に取り付けられるシャーシと、このシャーシの前方へ向いた開口を覆うカバーとからなり、前記カバーの一側部に、シャーシの被係合部に係合して、前記一側部がシャーシの開口からその開口面と直交する方向に移動するのを阻止する係合爪と、前記シャーシの一側部の内面に係合して前記カバーがシャーシの開口面と平行な方向に移動するのを阻止する口開き防止爪が設けられ、前記係合爪１３は開口面２０と平行に前記カバー２２の内方向に向かって突出し、前記口開き防止爪１４は前記係合爪１３の突出した先端部に形成され、前記シャーシ２１の後面に向かって突出しており、前記シャーシの被係合部は、前記係合爪が開口面と平行な前記内方向に進入する凹所と、前記凹所の内端から連続的に前記シャーシの内面に沿って前記開口面と直交する方向に沿って延び、シャーシの後面に向かって開口する溝とを有し、前記口開き防止爪は、前記シャーシに形成した前記凹所から前記溝へ差し込まれて、前記溝と係合し、前記カバーの他側部には、シャーシの止め部に係脱自在に係止される止め具が装着されている。
【００１０】
上記構成によれば、前記カバーの一側部に設けた係合爪がシャーシの被係合部に係合することにより、前記一側部がシャーシの開口面からこれと直交する方向に移動するのが阻止される。また、前記口開き防止爪がシャーシの一側部の内面に係合することにより、カバーがシャーシの開口面と平行な方向に移動するのが阻止される。つまり、シャーシとカバーの接合部にドライバなどを差し込んでこじ開けようとしても、前記口開き防止爪がシャーシの内面に係合しているので、カバーが前記開口面と平行方向にこじ開けられることはない。このため、カバーはシャーシの開口面と直交方向および平行方向の何れにもこじ開けられることがなく、ケース内の電気回路へのいたずらが確実に防止される。さらに、カバーに係合爪が被係合部から抜け出る方向に衝撃がかかっても、口開き爪がシャーシの内面に係合しているので、カバーはシャーシから外れることがない。したがって、各国の規格をクリアできる。しかも、シャーシやカバーの中央部にボスや凹部を設けてカバーをシャーシにビス止めする従来の場合のように、電気回路の設計に制約を与えたり、外観を悪くしたりすることなく、簡単かつ低コストで所期の目的が達成される。また、前記凹所を設けることで、係合爪の被係合部への係合を容易に行える。さらに、カバーの一側部がシャーシの開口面と直交方向に移動するのが、前記係合爪の凹所への係合により確実に阻止される。また、前記溝を設けることで、前記口開き防止爪と係合爪の両者を凹所から溝に沿って係合させ易くなり、しかも両者を係合させるための前記被係合部の構造が簡単となる。特にシャーシの全体を樹脂で形成するとき、金型構造を簡単としながら、凹所と溝の同時成形が可能となる。
【００１４】
【発明の実施の形態】
以下、本発明の一実施形態を図面に基づいて説明する。
図１は、本発明の一実施形態にかかるこじ開け防止構造を備えた防犯機器の全体構造の斜視図を示している。図２は、図１のＸ−Ｘ線方向の縦断面図を示す。各図に示す防犯機器１の内部構造は、前述した従来のものと基本的に同一であるので、同一部分には同一符号を付して、その詳細な説明は省略する。図１において、ほぼ直方体形状のケース２の内部には、予め定めた検知エリア内の侵入者を検知するＰＩＲ受光素子４およびＭＷ送受信回路５を含むセンサ部が収納されており、このセンサ部からの人体検出信号が外部の出力回路に入力されて、出力回路から警報器または警備センターなどへ警報信号が出力される。
【００１５】
ケース２を構成するシャーシ２１の上部で開口端部側の複数個所に、図２に示すように、下方向に凹入する凹所１０と、この凹所１０の下端側から連続状にシャーシ２１の内面に沿って開口面２０と直交する前後方向に延び、シャーシ２１の後面側に開口する溝１１とからなる被係合部１２を形成している。この被係合部１２は、図３に示すように、シャーシ２１から前方Ｆへ突出した突出部１６に形成されている。また、図２のシャーシ２１の開口面２０を覆うカバー２２の上部で、カバー開口端部側の複数個所には、下方に向かって突出し、前記凹所１０に係合してカバー２２がシャーシ２１に対し前方側Ｆにこじ開けられるのを阻止する係合爪１３を設け、この係合爪１３の下部に、シャーシ２１に向かって突出し、前記溝１１に係合してカバー２２が上方にこじ開けられるのを阻止する口開き防止爪１４を一体に設けている。この係合爪１３と口開き防止爪１４を一体化した爪部材１７は、図３に明示するように、カバー２２の開口端部に一体形成されて、後方Ｒへ突出している。
【００１６】
図２に示すカバー２２の下部側には、従来の場合と同様にシャーシ２１の下部に設けた止め部８に係脱自在に係止される止め具９を設ける。図２の実施形態では、前記止め部８として、シャーシ２１の底部から受部８１を突設し、この受部８１に挿通孔８５を形成している。一方、カバー２２側には、前記受部８１に対向する保持部８２を形成し、この保持部８２に設けた挿入スリット８３に板状ナット８４を挿入している。前記止め具９としてねじ体を用い、これを保持部８２の下方からナット８４にねじ込んで、ねじ体９の先端部Ｅを受部８１の挿通孔８５に挿通させることによりカバー２２の下部側をシャーシ２１に係止する。なお、本発明では、止め具９として、前記ねじ体を用いる以外に、例えばカバー２２をシャーシ２１にスライドロックしてねじ止めするような他の構造を用いてもよい。
【００１７】
次に、以上の構造による作用を図４に基づいて説明する。先ず、同図の実線で示すように、カバー２２の全体を傾けながら係合爪１３の下部に突設した口開き防止爪１４を、シャーシ２１に形成した凹所１０から溝１１へと差し込む。そして、カバー２２の姿勢をＡ方向に戻しながら、口開き防止爪１４と係合爪１３をさらに内方に押し込んで、仮想線で示すように口開き爪１４を溝１１に、係合爪１３を凹所１０に、それぞれ係合させる。この後、図２のカバー２２の下部側をシャーシ２１の下部側に被嵌させて、止め具９により係止する。
【００１８】
このようにすれば、前記係合爪１３の凹所１０への係合により、カバー２２がシャーシ２１に対し前方側Ｆにこじ開けられるのが阻止される。また、前記口開き爪１４の溝１１への係合により、カバー２２が上方にこじ開けられるのが阻止される。つまり、シャーシ２１とカバー２２の接合部にドライバなどを差し込んでこじ開けようとしても、前記口開き防止爪１４はシャーシ内面の溝１１に係合されているので、カバー２２はシャーシ２１の上方側にこじ開けられるのが阻止される。このため、カバー２２はシャーシ２１の前方および上方の何れの方向にもこじ開けられることがなく、ケース２内の電気回路へのいたずらが防止される。しかも、カバー２２に係合爪５１が凹所５２から抜け出る方向に大きな衝撃がかかっても、前記口開き防止爪１４の溝１１への係合により、カバー２２がシャーシ２１から外れることはない。よって、各国の規格をクリアできる。
【００１９】
また、シャーシ２１に対するカバー２２のこじ開けを防止するにあたっては、被係合部１２としては従来のものが使用され、従来の係合爪１３に口開き爪１４を追加するだけであるので、構造が簡単となって製造コストの上昇が抑制される。つまり、シャーシ２１の製作時には、その開口面２０に対して前後方向に開閉する２つの割り型を用い、この後部の型から前方Ｆに突設するピンをシャーシ２１の後面側から凹所１０の形成部位にまで挿入させて成形することにより、シャーシ２１と同時に前記凹所１０と溝１１を形成する。したがって、シャーシ２１に設ける被係合部１２は従来のままとし、カバー２２側の係合爪１３に口開き爪１４を追加する簡単な構成により、カバー２２のこじ開けが防止される。また、組付要領も従来と同一なので、組付ミスも起り難い。しかも、シャーシ２１やカバー２２の中央部にボスや凹部を設けて、カバー２２をシャーシ２１にビス止めする従来の場合のように、基板３に形成する電気回路の設計に制約を与えたり、外観を悪くすることがない。
【００２０】
また、前記ケース２の内部機器を調整する場合は、ビス９を外した後、口開き爪１４を備えた係合爪１３を被係合部１２から抜き出し、カバー２２をシャーシ２１から取り外して行う。
【００２１】
以上の実施形態では、カバー２２とシャーシ２１の上部側に、口開き爪１４を備えた係合爪１３と被係合部１２を設けたが、これらはカバー２２とシャーシ２１の下部、左側部または右側部に設けてもよい。この場合は、反対側に止め部８と止め具９を設ける。
【００２２】
本発明は、上記実施形態のような防犯センサ１に限らず、防犯センサ１に接続される出力回路を内蔵したコントローラのような他の防犯機器にも適用できる。
【００２３】
【発明の効果】
以上のように、本発明によれば、簡単かつ低コストでカバーのこじ開けを防止でき、しかも衝撃によりカバーがシャーシから外れたりするのを防止できて、各国の規格をクリアできる。
【図面の簡単な説明】
【図１】本発明にかかる防犯機器の一実施形態を示す全体の斜視図である。
【図２】図１のII−II線断面図である。
【図３】同防犯機器の要部を一部破断して示す分解斜視図である。
【図４】シャーシに対するカバーの組付状態を示す断面図である。
【図５】従来例を示す縦断面図である。
【図６】同じく他の従来例を示す縦断面図である。
【符号の説明】
２…ケース、３…基板（電気回路）、２０…開口面、２１…シャーシ、２２…カバー、８…止め部、９…止め具、１０…凹所、１１…溝、１２…被係合部、１３…係合爪、１４…口開き防止爪。
【図１】
0004061339.tif 000002
【図２】
0004061339.tif 000003
【図３】
0004061339.tif 000004
【図４】
0004061339.tif 000005
【図５】
0004061339.tif 000006
【図６】
0004061339.tif 000007